(57)【要約】【課題】  液体が収容された液体収容容器の給液口を下にして、この給液口から給液装置に液体を給液させた場合に、収容された液体の減少に伴って、液体収容容器が自動的に収縮されて容積が減少し、給液後における液体収容容器を保管したり、搬送したりする場合に嵩張るということがなく、給液後における液体収容容器を回収する作業等が簡単に行えるようにする。【解決手段】  給液装置１に給液口１３を下にして着脱自在に装着させる液体収容容器において、液体を収容させた容器１０の胴部１１に上下方向に伸縮可能なジグザグ状になった蛇腹部１２を形成した。【選択図】  図１
2009255928.tif 000002
【特許請求の範囲】
【請求項１】
給液装置に給液口を下にして着脱自在に装着させる液体収容容器において、液体を収容させた容器の胴部に上下方向に伸縮可能なジグザグ状になった蛇腹部が形成されていることを特徴とする液体収容容器。
【請求項２】
請求項１に記載の液体収容容器において、上記の容器が可撓性のプラスチック材料でブロー成形されていることを特徴とする液体収容容器。
【請求項３】
請求項１又は請求項２に記載の液体収容容器において、上記のジグザグ状になった蛇腹部における頂部から谷部までの間隔が、頂部の上部側より下部側の方が大きくなっていることを特徴とする液体収容容器。
【請求項４】
請求項１〜請求項３の何れか１項に記載の液体収容容器において、上記の給液口と反対側における容器の上部に、空気穴形成部が設けられていることを特徴とする液体収容容器。
【請求項５】
請求項１〜請求項４の何れか１項に記載の液体収容容器において、上記の給液口と反対側における容器の上部に保持用取手が設けられていることを特徴とする液体収容容器。
【請求項６】
請求項５に記載の液体収容容器において、上記の保持用取手に空気穴形成部が形成されていることを特徴とする液体収容容器。
【請求項７】
請求項１〜請求項６の何れか１項に記載の液体収容容器において、上記の容器の胴部が四角筒状に形成されていることを特徴とする液体収容容器。
【発明の詳細な説明】
【技術分野】
【０００１】
この発明は、給液装置に給液口を下にして着脱自在に装着させる液体収容容器に係り、この液体収容容器に収容された液体を給液口から給液装置に給液させた場合に、この液体収容容器に収容された液体の減少に伴って、液体収容容器が自動的に収縮されて容積が減少し、給液後における液体収容容器を保管したり、搬送したりする場合に嵩張るということがなく、給液後における液体収容容器を回収する作業等が簡単に行えるようにした点に特徴を有するものである。
【背景技術】
【０００２】
近年、特許文献１，２に示されるように、アルカリイオン水やミネラルウォータ等の各種の液体を収容させた液体収容容器を給液装置に給液口を下にして着脱自在に装着させ、この液体収容容器に収容された液体を給液口から給液装置に給液させるようにしたものが用いられるようになった。
【０００３】
ここで、上記の液体収容容器としては、一般にポリカーボネートやＰＥＴ等のプラスチック材料でボトル状に成形しただけのものが用いられている。
【０００４】
しかし、このようにポリカーボネート等でボトル状に成形しただけの液体収容容器の場合、その製造コストが高くつくという問題があった。
【０００５】
また、このようにポリカーボネート等でボトル状に成形しただけの液体収容容器を用いた場合、この液体収容容器に収容された液体を給液口から給液装置に給液させて、この液体収容容器に収容された液体がなくなった場合においても、この液体収容容器がそのままのボトル形状で維持され、使用後の液体収容容器を保管したり、搬送したりする場合に嵩張り、使用後の液体収容容器を回収し、またこれを洗浄したりする作業等が面倒になり、使用後の廃棄処理も困難になるという問題があった。
【特許文献１】実開平５−５１７５０号公報
【特許文献２】特開２００７−２３８１４４号公報
【発明の開示】
【発明が解決しようとする課題】
【０００６】
この発明は、給液装置に給液口を下にして着脱自在に装着させる液体収容容器における上記のような問題を解決することを課題とするものである。
【０００７】
すなわち、この発明においては、液体収容容器に収容された液体を給液口から給液装置に給液させた場合に、この液体収容容器に収容された液体の減少に伴って、液体収容容器が自動的に収縮されて容積が減少し、給液後における液体収容容器を保管したり、搬送したりする場合に嵩張るということがなく、給液後における液体収容容器を回収したりする作業等が簡単に行えるようにすることを課題とするものである。
【課題を解決するための手段】
【０００８】
この発明においては、上記のような課題を解決するため、給液装置に給液口を下にして着脱自在に装着させる液体収容容器において、液体を収容させた容器の胴部に上下方向に伸縮可能なジグザグ状になった蛇腹部を形成した。
【０００９】
ここで、この発明における液体収容容器において、上記の容器としては、例えば、低密度ポリエチレン等の可撓性のプラスチック材料を用いて薄肉状にブロー成形したものを用いることができる。
【００１０】
また、この発明における液体収容容器において、上記のように容器の胴部に上下方向に伸縮可能な蛇腹部を形成するにあたっては、ジグザグ状になった蛇腹部における頂部から谷部までの間隔が、頂部の上部側より下部側の方が大きくなるようにすることが望ましい。
【００１１】
また、この発明における液体収容容器においては、上記の給液口と反対側における容器の上部に、空気穴形成部や保持用取手を設けるようにすることが好ましい。
【００１２】
また、この発明における液体収容容器においては、上記の容器の胴部を四角筒状に形成することが好ましい。
【発明の効果】
【００１３】
この発明における液体収容容器においては、上記のように液体を収容させた容器の胴部に上下方向に伸縮可能なジグザグ状になった蛇腹部を形成したため、この液体収容容器を給液装置に給液口を下にして着脱自在に装着させ、容器内に収容された液体を給液口から給液装置に給液させると、この容器内に収容された液体が減少するのに伴って、この容器内が減圧され、この容器の胴部における上記の蛇腹部が自動的に折り重なるように収縮し、この容器の容積が液体の減少に伴って減少するようになる。
【００１４】
この結果、この発明における液体収容容器においては、容器内に収容された液体が給液口から給液装置に給液されて、この容器に収容された液体がなくなった場合に、容器の胴部における蛇腹部が上記のように折り重なるように収縮して、この液体収容容器の容積が大きく減少し、給液後における液体収容容器を保管したり、搬送したりする場合に嵩張るということがなく、給液後における液体収容容器を回収したりする作業等が簡単に行えるようになる。
【００１５】
また、この発明における液体収容容器において、容器の胴部に上下方向に伸縮可能なジグザグ状になった蛇腹部を形成するにあたり、ジグザグ状になった蛇腹部における頂部から谷部までの間隔が、頂部の上部側より下部側の方が大きくなるようにすると、この蛇腹部が上記のように折り重なるように収縮した場合に、ジグザグ状になった蛇腹部における頂部より上部側の部分が下部側の部分の上に沿って密着するように適切に折り重なり、容器内における液体が給液口から給液装置に適切に給液されて、容器内に液体が残るのが抑制されるようになる。
【００１６】
また、この発明における液体収容容器において、上記の給液口と反対側における容器の上部に空気穴形成部を設け、上記のように容器内における液体を給液口から給液装置に給液させた後、この空気穴形成部を切り離したり、空気穴形成部に穴を開けたりして空気穴を開口させると、この空気穴を通して減圧されていた容器の内部に空気が導入され、容器内に残っていた液体が給液口から給液装置に適切に給液されるようになり、容器内に液体が残るのが一層抑制されるようになる。
【００１７】
また、この発明における液体収容容器において、上記の給液口と反対側における容器の上部に保持用取手を設けると、この保持用取手を持って液体収容容器を給液装置に装着させる作業等が容易に行えるようになる。
【００１８】
また、この発明における液体収容容器において、上記の容器の胴部を給液装置に対応した四角筒状に形成すると、給液装置の上における無駄な空間を少なくして、この液体収容容器を給液装置の上に装着させることができると共に、この液体収容容器に収容させる液体の量を多くすることが可能になる。
【発明を実施するための最良の形態】
【００１９】
以下、この発明の実施形態に係る液体収容容器を添付図面に基づいて具体的に説明する。なお、この発明に係る液体収容容器は下記の実施形態に示したものに限定されず、発明の要旨を変更しない範囲において、適宜変更して実施できるものである。
【００２０】
この実施形態における液体収容容器においては、低密度ポリエチレン等の可撓性のプラスチック材料を用いてブロー成形により液体を収容させる容器１０を薄肉状に成形し、図１に示すように、この容器１０の四角筒状になった胴部１１に上下方向に伸縮可能なジグザグ状になった蛇腹部１２を形成し、この胴部１１の下部に容器１０内に収容された液体を給液装置１に供給する給液口１３を設け、この給液口１３に弁機構（図示せず）を備えた給液キャップ２を取り付けるようにしている。
【００２１】
また、この実施形態の液体収容容器においては、図１〜図３に示すように、上記の給液口１３と反対側における容器１０の上部に凹部１４を形成し、この凹部１４の部分に容器１０と連通した保持用取手１５を設けると共に、この保持用取手１５に容器１０内に空気を導入させるための空気穴１６ａを形成する空気穴形成部１６を切り離し可能に設けている。
【００２２】
また、この実施形態の液体収容容器においては、胴部１１に上下方向に伸縮可能な蛇腹部１２を形成するにあたり、図１に示すように、ジグザグ状になった蛇腹部１２において、頂部１２ａの上部側における頂部１２ａから谷部１２ｂまでの間隔ｄ1よりも、頂部１２ａの下部側における頂部１２ａから谷部１２ｂまでの間隔ｄ2が大きくなるようにしている。
【００２３】
そして、この実施形態における液体収容容器を給液装置１に装着させるにあたっては、上記の容器１０に設けられた上記の保持用取手１５を持って容器１０を伸ばすように引っ張り、この容器１０の胴部１１における蛇腹部１２をジグザグ状に伸ばすようにする。
【００２４】
そして、このように胴部１１における蛇腹部１２をジグザグ状に伸ばした状態で、この容器１０内にアルカリイオン水やミネラルウォータ等の液体を収容させた後、この容器１０における給液口１３に弁機構を備えた上記の給液キャップ２を取り付け、この給液キャップ２により、上記の給液口１３を下にした状態でも容器１０内に収容された液体がこぼれ出さないようにする。
【００２５】
次いで、給液キャップ２が取り付けられた給液口１３を下にした状態で、図４に示すように、給液キャップ２が取り付けられた給液口１３を給液装置１の取付部１ａに装着させ、給液装置１の取付部１ａ内に設けられた押圧部材（図示せず）により上記の給液キャップ２に設けられた弁機構を開けて、容器１０内に収容された液体を上記の給液口１３を通して給液装置１に供給し、このように給液装置１に供給された液体を給液装置１に設けられた蛇口１ｂから給液させるようにしている。
【００２６】
そして、このように容器１０内に収容された液体が給液装置１に順次供給されて、この容器１０内に収容された液体の量が減少すると、この容器１０内が減圧されて、図５に示すように、この容器１０の胴部１１における上記のジグザグ状になった蛇腹部１２が自動的に折り重なるように収縮する。
【００２７】
ここで、この実施形態における液体収容容器においては、上記のようにジグザグ状になった蛇腹部１２において、頂部１２ａの上部側における頂部１２ａから谷部１２ｂまでの間隔ｄ1よりも、頂部１２ａの下部側における頂部１２ａから谷部１２ｂまでの間隔ｄ2が大きくなるようにしたため、上記のように容器１０内が減圧されて蛇腹部１２が収縮する際に、図６に示すように、蛇腹部１２における頂部１２ａより上部側の部分が下部側の部分の上に沿って密着するように折り重なり、折り重なった蛇腹部１２の折返し部分に液体が残るということがなく、容器１０内における液体が給液口１３から給液装置１に適切に供給されるようになる。
【００２８】
また、上記のように容器１０内における液体を給液口１３から給液装置１に供給して、ジグザグ状になった蛇腹部１２を折り重なるように収縮させると共に、前記の保持用取手１５に設けた空気穴形成部１６を切り離して、図７に示すように、保持用取手１５に空気穴１６ａを開口させると、この空気穴１６ａを通して減圧されていた容器１０の内部に空気が導入され、容器１０内に残っていた液体が給液口１３を通して給液装置１に供給されるようになり、容器１０内に液体が残るのが一層抑制されるようになる。
【００２９】
このようにして容器１０内に収容された液体を給液装置１に供給した後、この液体収容容器を給液装置１から取り外すと、図５に示すように、容器１０の胴部１１における上記のジグザグ状になった蛇腹部１２が折り重なるように収縮されて容積が大きく減少し、給液後における液体収容容器を保管したり、搬送したりする場合に嵩張るということがなく、給液後における液体収容容器を回収したりする作業等が簡単に行えるようになる。
【００３０】
さらに、上記のように低密度ポリエチレン等の可撓性のプラスチック材料を用いてブロー成形により容器１０を薄肉状に成形する場合、ポリカーボネート等のプラスチック材料でボトル状の容器を成形する場合に比べて、その製造コストが低減されると共に、使用後の廃棄処理も容易に行えるようになる。
【図面の簡単な説明】
【００３１】
【図１】この発明の一実施形態に係る液体収容容器を示した概略正面図である。
【図２】上記の実施形態に係る液体収容容器を示した概略平面図である。
【図３】上記の実施形態に係る液体収容容器において、容器の上部に形成した凹部に保持用取手を設けると共に、この保持用取手に切り離し可能な空気穴形成部を設けた状態を示した部分断面説明図である。
【図４】上記の実施形態に係る液体収容容器を給液装置に装着させた状態を示した概略正面図である。
【図５】上記の実施形態に係る液体収容容器を給液装置に装着させて、容器内に収容された液体を給液装置に供給した場合に、容器の胴部における蛇腹部が折り重なるように収縮した状態を示した部分説明図である。
【図６】上記の実施形態に係る液体収容容器において、蛇腹部が折り重なるように収縮した状態を示した部分断面説明図である。
【図７】上記の実施形態に係る液体収容容器において、上記の保持用取手に設けた空気穴形成部を切り離して空気穴を開口させた状態を示した部分断面説明図である。
【符号の説明】
【００３２】
１  給液装置
１ａ  取付部
１ｂ  蛇口
２  給液キャップ
１０  容器
１１  胴部
１２  蛇腹部
１２ａ  頂部
１２ｂ  谷部
１３  給液口
１４  凹部
１５  保持用取手
１６  空気穴形成部
１６ａ  空気穴
ｄ1  蛇腹部の頂部の上部側における頂部から谷部までの間隔
ｄ2  蛇腹部の頂部の下部側における頂部から谷部までの間隔
【図１】
2009255928.tif 000003
【図２】
2009255928.tif 000004
【図３】
2009255928.tif 000005
【図４】
2009255928.tif 000006
【図５】
2009255928.tif 000007
【図６】
2009255928.tif 000008
【図７】
2009255928.tif 000009